(57)【要約】【課題】  生鮮食品を収納して冷蔵庫に長期間保管しても、鮮度を保つことができる食品用包装体を提供する。【解決手段】  合成樹脂シートの収納袋２は開口部がジッパー２９で閉じることができ内部を密閉できる。収納袋２の内部には、吸水シート４が収納されており、この吸水シート４は、収納袋２の第１の面２１、第２の面２２および底部２５の内側に位置している。したがって、生鮮食品５が吸水シート４で包まれた状態で、ドリップを吸水シート４に吸収でき、袋の内部の湿気を保つことができる。【選択図】図２
2005206198.tif 000002
【特許請求の範囲】
【請求項１】
収納袋とこの収納袋の内部に設けられた吸水シートとを有する食品用包装体において、
前記収納袋は、合成樹脂シートの包材で形成されて、互いに対面する四角形状の第１の面と第２の面を有し、前記四角形状の１辺に収納袋の内部に通じる開口部が形成され、この開口部に対向する底部および他の２つの側辺が閉じられており、
前記第１の面および前記第２の面のそれぞれの内面には、前記開口部の内側で互いに密着嵌合するジッパーが設けられて、前記開口部が密閉可能とされており、前記収納袋を平坦にした状態で、前記吸水シートは、前記第１の面と前記底部および前記第２の面の内面に沿って配置されており、
前記吸水シートは、液透過性の表面層と、親水性材料で形成された液吸収層とが積層されて形成されており、前記表面層が収納袋の内方に向けられていることを特徴とする食品用包装体。
【請求項２】
前記収納袋を平坦にした状態で、前記吸水シートは、前記第１の面の内側に位置する部分の面積よりも、第２の面の内側に位置する部分の面積の方が小さい請求項１記載の食品用包装体。
【請求項３】
前記第２の面の内側に位置する前記吸水シートの部分の面積が、前記第１の面の内側に位置する前記吸水シートの部分の面積の１／２以下である請求項２記載の食品用包装体。
【請求項４】
前記吸水シートにより吸収袋が形成され、この吸収袋の開放部が、前記収納袋の前記開口部の内側に位置している請求項１記載の食品用包装体。
【請求項５】
前記吸水シートは、少なくともその一部が、前記第１の面の内面および前記第２の面の内面に接着固定されている請求項１ないし４のいずれかに記載の食品用包装体。
【請求項６】
前記収納袋の底部は、ガゼット折りされて収納袋の底部が展開可能とされている請求項１ないし５のいずれかに記載の食品用包装体。
【請求項７】
前記吸水シートの表面層は合成樹脂シートに液透過孔が形成されたものであり、前記液透過孔は、前記表面層の表面での開孔面積が、液吸吸収層側での開孔面積よりも広く形成され、または前記液透過孔は、前記表面層の厚み方向に対して斜めに形成されている請求項１ないし６のいずれかに記載の食品用包装体。
【発明の詳細な説明】
【技術分野】
【０００１】
本発明は、生鮮野菜や、生肉、鮮魚などのような保存に湿度を必要とする生鮮食品の保存に適した食品用包装体に関する。
【背景技術】
【０００２】
生鮮野菜や、生肉、鮮魚などの生鮮食品を冷蔵庫に保管する際には、その鮮度を保つために所定の湿度が必要である。しかし、冷蔵庫内の湿度は比較的低いため、前記生鮮食品をそのまま冷蔵庫に保管すると乾燥して鮮度が低下しやすい。また、合成樹脂シートで袋状に形成された食品保存用パックが市販されているが、この食品保存用パックに生鮮食品を直接に収納させて冷蔵庫に保管すると、生鮮食品から滲み出たドリップが袋体内において食品に再付着し、生鮮食品の色を劣化させたり、さらには前記ドリップに含まれている雑菌により生鮮食品の表面が腐食しやすくなり、長期間、新鮮な状態を保って保管することが困難である。
【０００３】
以下の特許文献１に記載された食品包装用袋は、ナイロン生地やポリエチレン生地で形成された袋内に、保護部材が設けられており、この保護部材は、液体透過性のシートと液吸収性の材料より成る吸収材とが重ね合わされて構成されている。この食品包装用袋は、生鮮食品から滲み出たドリップを前記保護部材の前記吸収材で吸収して食品へのドリップの再付着を防止するとともに、吸収材に吸収されたドリップにより適度な湿気を保とうというものである。
【特許文献１】特開平２−５７５８３号公報
【発明の開示】
【発明が解決しようとする課題】
【０００４】
しかし、前記特許文献１に記載の食品包装用袋では、袋の開口部が開放されたままであり、この開口部を閉じる手段が設けられていない。したがって、袋の内部に位置する保護部材の吸収材に吸収されたドリップが袋内で蒸発しても、その水分が前記開口部から袋の外部へ逃げてしまうため、袋の内部に長期間湿気を保つのは困難であり、袋内に収納した食品が短期間で乾燥しやすい。
【０００５】
前記特許文献１には、袋の一方の面の内側にのみ前記保護部材を敷設する態様、および袋の２つの面のそれぞれの内側に互いに独立した保護部材を敷設する態様が記載されている。しかし、袋の開口部と対向する側である底部には保護部材が設けられていないため、冷蔵庫内において、袋体を開口部を上向きとした縦置きで設置した場合には、食品から滲み出たドリップが袋内の前記底部に滞留しやすくドリップが食品に再付着しやすい。
【０００６】
また、前記保護部材は、袋内に単に挿入しているだけであるため、開口部から袋内に食品を収納する際に、保護部材の前記液体透過性のシートが食品に対面できるとは限らず、例えば保護部材の吸収材と袋体との間に食品を挿入するおそれがある。この場合、吸収材に吸収されたドリップが食品に再付着しやすい。また袋体内に２枚の独立した保護部材が設けられている構造においても、袋の内部に食品を収納するときに、保護部材と保護部材との間に食品を確実に収納させるのが困難である。
【０００７】
また特許文献１には、保護部材を袋状に形成することにも触れられているが、この袋状の保護部材がどのような構造で、袋内にどのようにして配置されるのかは記載されていない。
【０００８】
さらに保護部材に設けられた液体透過性のシートは、液の逆戻り防止構造を備えたものではないため、袋内に食品を収納した状態で袋に過大な圧力が作用すると、吸収材に吸収されたドリップが前記シートの表面に戻って、食品に再付着するおそれがある。
【０００９】
本発明は上記従来の課題を解決するものであり、収納袋の内部を常に最適な湿度に保つことができ、また収納袋の底部にドリップが溜まりにくい食品用包装体を提供することを目的としている。
【課題を解決するための手段】
【００１０】
本発明は、収納袋とこの収納袋の内部に設けられた吸水シートとを有する食品用包装体において、
前記収納袋は、合成樹脂シートの包材で形成されて、互いに対面する四角形状の第１の面と第２の面を有し、前記四角形状の１辺に収納袋の内部に通じる開口部が形成され、この開口部に対向する底部および他の２つの側辺が閉じられており、
前記第１の面および前記第２の面のそれぞれの内面には、前記開口部の内側で互いに密着嵌合するジッパーが設けられて、前記開口部が密閉可能とされており、前記収納袋を平坦にした状態で、前記吸水シートは、前記第１の面と前記底部および前記第２の面の内面に沿って配置されており、
前記吸水シートは、液透過性の表面層と、親水性材料で形成された液吸収層とが積層されて形成されており、前記表面層が収納袋の内方に向けられていることを特徴とするものである。
【００１１】
前記食品用包装体では、収納袋の開口部にジッパーが設けられて、食品を収納した状態で前記開口部を閉じて、収納袋の内部を密閉できる。したがって、食品から滲み出たドリップが液吸収層に吸収されると、このドリップ内の水分が密閉された収納袋内に湿気を与えるように作用し、食品が短期間で乾燥するのを防止できる。
【００１２】
また、吸水シートが、収納袋内の底部の内側に位置しているので、食品から滲み出たドリップが収納袋の底部においても前記液吸収層で吸収されるようになる。よって前記開口部が上を向いた縦置き状態で保存したときでも、食品の劣化を長期間防止できるようになる。
【００１３】
また本発明は、前記収納袋を平坦にした状態で、前記吸水シートは、前記第１の面の内側に位置する部分の面積よりも、第２の面の内側に位置する部分の面積の方が小さいものとして構成することができる。
【００１４】
この場合に、前記第２の面の内側に位置する前記吸水シートの部分の面積が、前記第１の面の内側に位置する前記吸水シートの部分の面積の１／２以下であることが好ましく、さらに好ましくは１／３以下である。
【００１５】
前記食品用包装体では、第１の面および底部に吸水シートが存在しているため、第１の面を下向にして設置したときであっても、前記底部を下向に設置したときであっても、食品から滲み出たドリップを吸水シートで吸収しやすくなる。しかも、第２の面の内側に位置する吸水シートの部分は小面積であるため、前記第２の面を透視して内部の食品の色および状態を外部から確認できるようになる。
【００１６】
また、本発明は、前記吸水シートにより吸収袋が形成され、この吸収袋の開放部が、前記収納袋の前記開口部の内側に位置しているものとすることができる。
【００１７】
この食品用包装体では、収納袋内に位置する前記吸収袋の内部に食品を収納させることにより、食品用包装体がどのような向きで設置されても、食品から滲み出るドリップを吸水シートで確実に吸収できるようになる。
【００１８】
また、本発明の好ましい態様では、前記吸水シートは、少なくともその一部が、前記第１の面の内面および前記第２の面の内面に接着固定されているものである。
【００１９】
前記吸水シートが、収納袋の第１の面の内面および第２の面の内面に固定されていると、収納袋の内部空間を広げたときに、第１の面側に位置する吸水シートの部分と第２の面に位置する吸水シートの部分とが互いに離れるようになる。よって収納袋内に収納させた食品に対して、必ず吸水シートの表面層が対面するようになり、液吸収層に吸収されたドリップが食品に直接に触れるのを避けることができる。
【００２０】
また、本発明では、前記収納袋の底部は、ガゼット折りされて収納袋の底部が展開可能とされているものとすることができる。
【００２１】
収納袋の底部をガゼット折りにすると、収納袋の内部空間を広げたときに、収納袋の底部が展開するようになり、開口部を上向きにした縦置きに適したものとなる。
【００２２】
また、本発明では、前記吸水シートの表面層は合成樹脂シートに液透過孔が形成されたものであり、前記液透過孔は、前記表面層の表面での開孔面積が、液吸吸収層側での開孔面積よりも広く形成され、または前記液透過孔は、前記表面層の厚み方向に対して斜めに形成されていることが好ましい。
【００２３】
このように、液透過孔を形成すると、食品を収納した収納袋に外部から圧力が作用して、食品が吸水シートに加圧されたときに、液吸収層に含まれたドリップが前記液透過孔を経て表面層の表面に逆戻りしにくくなる。
【発明の効果】
【００２４】
本発明では、収納袋の内部を密閉でき、収納袋の内部に湿気を保つことができ、収納袋内の食品の新鮮度を長期間保つことができる。また収納袋を、開口部が上向きとなる縦置きで設置したときにも、食品から滲み出たドリップを吸水シートで確実に吸収できるようになる。
【発明を実施するための最良の形態】
【００２５】
図１は本発明の第１の実施の形態の食品用包装体を示す分解斜視図、図２は前記食品用包装体の内部に食品を収納した状態を示す断面図、図３と図４は、吸水シートを実施の形態別に示す拡大断面図である。
【００２６】
図１に示す食品用包装体１は、収納袋２とこの収納袋２の内部に設けられる吸水シート４とから構成されている。
【００２７】
前記収納袋２は、透明のまたは半透明の合成樹脂シートの包材で形成されている。前記包材を構成する合成樹脂は、ＬＤＰＥ（低密度ポリエチレン）、ＭＤＰＥ（中密度ポリエチレン）、ＨＤＰＥ（高密度ポリエチレン）、ＬＬＤＰＥ（直鎖状低密度ポリエチレン）、ＰＰ（ポリエチレン）、ＰＥＴ（ポリエチレンテレフタレート）、ＥＶＡ（エチレン・酢酸ビニル共重合体）などのいずれか、または前記樹脂をラミネートした多層シートである。またＰＶＤＣ（ポリ塩化ビニリデン）などのいわゆるガスバリヤー性の樹脂を使用すると、収納袋２内の湿気を保ちやすくなる。
【００２８】
前記収納袋２は、平坦にしたときの平面形状が長方形または正方形の四角形である。前記収納袋２は、１枚の前記包材が折り畳んで形成され、または２枚の包材を重ねることで形成されている。
【００２９】
図１に示す実施の形態の収納袋２は、２枚の四角形の包材が重ねられて形成されている。この収納袋２は、四角形の第１の面２１と、同じく四角形の第２の面２２とが対面しており、前記四角形の前辺２３では、包材が接合されておらず、この前辺２３に開口部２４が形成されている。前記前辺２３に対向する底部２５、および２つの側辺２６と２７では、前記第１の面２１と第２の面２２の周辺部において包材どうしが接合されて閉じられている。前記底部２５および側辺２６，２６では、前記包材が熱シールや超音波シールで溶融接合され、またはホットメルト型などの接着剤で接着されている。
【００３０】
前記開口部２４の内側には、前記開口部２４を閉じるジッパー２９が設けられている。このジッパー２９は互いに密着嵌合する雄ジッパー２９ａと雌ジッパー２９ｂとから構成されている。雄ジッパー２９ａと雌ジッパー２９ｂは、共に変形可能な軟質な合成樹脂材料で形成されている。雄ジッパー２９ａは、第２の面２２の内面に接着固定されて、前辺２３と平行に取付けられている。雌ジッパー２９ｂは、第１の面２１の内面に接着固定されて、前辺２３と平行に取付けられている。
【００３１】
図２に示すように、前記雄ジッパー２９ａと雌ジッパー２９ｂとを、前記前辺２３に沿ってジッパーの全長にわたって密着嵌合させることにより、前記開口部２４を閉じることができる。
【００３２】
前記吸水シート４は、内面４１と外面４２を有して四角形に形成されている。この吸水シート４は、底部側において折り曲げられており、その折曲げ境界部４５から前辺４６までが第１の部分４３であり、前記折曲げ境界部４５から後辺４７までが第２の部分４４となっている。この実施の形態では、吸水シート４を折曲げ境界部４５を介して２枚重ねに平坦に折り畳んだ状態で、第１の第１の部分４３よりも第２の部分４４の面積が小さくなってる。第２の部分４４の面積は第１の部分４３の面積の１／２以下であり、好ましくは１／３以下であり、さらに好ましくは１／４以下である。
【００３３】
前記吸水シート４が、前記収納袋２の内部に挿入された状態で、吸水シート４の第１の部分４３の外面４２の少なくとも一部が、収納袋２の第１の面２１の内面にホットメルト型の接着剤などで接着されている。また吸水シート４の第２の部分４４の外面４２の少なくとも一部が、収納袋２の第２の面２２の内面にホットメルト型の接着剤などで接着されている。そして、前記吸水シート４の前記折曲げ境界部４５は、収納袋２の底部２５の内側に対向している。
【００３４】
前記吸水シート４の前辺４６は、収納袋２の前記前辺２３よりも袋内方に離れて位置している。吸水シート４の前辺４６またはその近傍が、第１の面２１の内面に接着され、吸水シート４の後辺４７またはその近傍が、第２の面２２に接着されていることが好ましい。
【００３５】
図３に拡大して示すように、前記吸水シート４は、内面側に表面層５１が位置し、外面４２側に液吸収層５２が位置している。前記表面層５１は合成樹脂材料で形成されたフィルムであり、表面層５１は液吸収層５２の表面に接着されて形成され、または液吸収層５２の表面に合成樹脂材料を溶融押し出ししてラミネートすることで形成されている。
【００３６】
前記表面層５１には、多数の液透過孔５３が形成されている。吸水シート４の内面４１から見たときに、個々の液透過孔５３の開口形状は円形または長円形である。液透過孔５３は、表面層５１の表面すなわち内面４１での開孔面積Ａ１よりも、液吸収層５２に接する側の開孔面積Ａ２の方が小さい。また液吸収層５２に接する部分では、前記液透過孔５３の周囲から突出する薄肉弁５３ａが形成されている。前記液透過孔５３が、液吸収層５２に接する側の開孔面積Ａ２が小さく、また前記薄肉弁５３ａを有していることにより、食品５が吸水シート４に加圧されたとしても、液吸収層５２に吸収されたドリップが表面層５１の表面に滲み出るのを防止しやすい。
【００３７】
前記表面層５１は、ＬＤＰＥ、ＭＤＰＥ、ＬＬＤＰＥ、ＰＰ、ＰＥＴ、ＥＶＡのいずれか一種または前記いずれかが組み合わされた積層フィルムにより形成される。好ましくは内面４１側がＨＤＰＥで、液吸収層５２側がＬＤＰＥの液層フィルムで形成される。この積層フィルムを使用すると、ニードリング処理や、パーフォレーション処理で前記液透過孔５３を開孔したときに、開孔面積に前記Ａ１とＡ２の差を付けやすく、また前記薄肉弁５３ａを形成しやすい。
【００３８】
前記表面層５１は、厚みが３〜７０μｍ、好ましくは５〜３０μｍで形成され、坪量は１０〜１００ｇ／ｍ2の範囲、好ましくは１０〜６０ｇ／ｍ2の範囲で調整される。前記表面層５１には、酸化チタン、炭酸カルシウム、硫酸バリウム等の白色化のための無機フィラーが５〜３０質量％の範囲で含まれる。表面層５１を白色化することにより、吸水シート４の内面４１を清潔感を与える外観に保つことができる。
【００３９】
前記液透過孔５３の開孔径は内面４１から見たときに０．１〜２ｍｍの範囲であり、液透過孔５３の配列ピッチは０．１〜２ｍｍである。表面層５１での前記液透過孔５３の実質的な開孔面積率は０．１〜８０％であり、好ましくは５〜４５％である。
【００４０】
液透過孔５３の開孔径、配列ピッチおよび開孔面積率を前記範囲内に設定することで、食品５から滲み出たドリップを液吸収層５２の親水力により吸収させることができ、また液吸収層５２に吸収されたドリップの内面４１への逆流を防止しやすい。また内面４１の外観を白色で清潔感を与える状態に保つことができる。
【００４１】
液吸収層５２は、親水性材料で形成され、例えばパルプをエアレイド法で積層してアクリルバインダーで接着したエアレイドパルプで形成される。目付けは２０〜１００ｇ／ｍ2の範囲が好ましいが、この範囲に限られるものではない。液吸収層５２は保水性の高い材料で形成されるのであれば前記エアレイドパルプに限られるものではなく、パルプやレーヨンなどのセルロース系繊維で形成された不織布、吸収紙を重ねたもの、または親水化処理された合成樹脂繊維を含む不織布、セルローススポンジなどの親水性の発泡体材料などで形成することが可能である。
【００４２】
この食品用包装体１では、吸水シート４の第１の部分４３が収納袋２の第１の面２１の内面に固定され、第２の部分４４が第２の面２２の内面に固定されているため、雄ジッパー２９ａと雌ジッパー２９ｂを離して、開口部２４を開放し、収納袋２の第１の面２１と第２の面２２とを離して袋の内部空間を拡大したときに、吸水シート４の第１の部分４３と第２の部分４４を互いに離すことができる。
【００４３】
また、吸水シート４の前辺４６またはその近傍と、後辺４７またはその近傍が、収納袋２の第１の面２１の内面と第２の面２２の内面に接着固定されていると、収納袋２の内部空間を広げたときに、吸水シート４の前記前辺４６と前記後辺４７とが確実に離れることができる。
【００４４】
したがって、生鮮野菜、生肉、鮮魚などの生鮮食品５を収納袋２の開口部２４から挿入するときに、この生鮮食品５を吸水シート４の第１の部分４３と第２の部分４４との間に確実に挿入することができ、食品５を、吸水シート４の表面層５１に接触させることができる。
【００４５】
食品５を収納した後に、雄ジッパー２９ａと雌ジッパー２９ｂとを密着嵌合させると、収納袋２の開口部２４が閉じて収納袋２の内部を密封できる。
【００４６】
生鮮食品５から滲み出たドリップは、吸水シート４の表面層５１に付着するが、液吸収層５２の親水力によりドリップが表面層５１の液透過孔５３を経て液吸収層５２内に引き込まれて保持される。液吸収層５２は表面層５１を介して生鮮食品５と分離されているので、液吸収層５２に吸収されたドリップが生鮮食品５に再付着しにくい。よって、ドリップ内に含まれる雑菌が生鮮食品５の表面に付着しにくくなり、食品５の腐敗を防止できる。
【００４７】
この食品用包装体１を冷蔵後に保管したときに、収納袋２の内部が４℃程度の低温となって袋内の湿度が低下する。このとき液吸収層５２に保持されているドリップ内の自由水が袋の内部空間内に蒸発して、袋の内部空間の湿度を保つことができる。そのため生鮮食品５は長期間に渡って鮮度を保つことができる。
【００４８】
前記第１の実施の形態では、図２に示すように、収納袋２の第１の面２１の内面に吸水シート４が敷設されているが、第２の面２２では、その一部分にのみ前記吸水シート４が存在している。
【００４９】
したがって、収納袋２内の生鮮食品５の色を第２の面２２を透して目視することができ、収納袋２を開封することなく内部の食品の鮮度を目で確認できる。
【００５０】
また、図２に示すように第１の面２１が下向となるように保管されたときには、生鮮食品５の下に吸水シート４の第１の部分４３が位置しており、食品５から滲み出たドリップを前記第１の部分４３で吸収することができる。また収納袋２の底部２５の内側にも吸水シート４の一部が位置しているため、収納袋２を底部２５が下に向くような縦置きで保管したときに、生鮮食品５の下部が、吸水シート４の折曲げ境界部４５と第２の部分４４とで包まれるため、食品５から滲み出るドリップを吸水シート４の前記部分で吸収でき、収納袋２内の包材の内面にドリップが滞留するのを防止できる。
【００５１】
このように、収納袋２を冷蔵庫内で横置きと縦置きの両姿勢で保管できることにより、冷蔵庫内の保管スペースの有効利用を図ることができる。
【００５２】
また、食品用包装体１が積み重ねられるなどして、収納袋２に圧力が作用し、食品５が吸水シート４に押し付けられると、液吸収層５２が圧迫される。しかし、図３に示すように、表面層５１の液透過孔５３が液の逆流を防止しやすい構造であるため、液吸収層５２に吸収されていたドリップが表面層５１の表面に滲み出るのを防止できる。したがって、外部の圧力が作用してもドリップが食品５に再付着するのを防止できる。
【００５３】
図４は、他の実施の形態の吸水シート４Ａを示す拡大断面図である。
この吸水シート４Ａは、液吸収層５２に、合成樹脂フィルムの表面層５１Ａが積層されているが、この表面層５１Ａに形成された液透過孔５３ｂは、表面層５１Ａの厚み方向（表面層５１Ａの面に対する垂線方向）に対して、斜めに傾斜して形成されている。この吸水シート４Ａを用いた場合も、表面層５１Ａの表面に付着したドリップは、液吸収層５２の親水力により液吸収層５２に引き込まれて保持されやすいが、液吸収層５２に吸収されたドリップは、液透過孔５３ｂを透過して表面層５１Ａの表面に逆戻りしにくい。
【００５４】
図４は、本発明の第２の実施の形態の食品用包装体１００を示す分解斜視図である。
この食品用包装体１００は、収納袋２が前記第１の実施の形態の食品用包装体１と同じものである。収納袋２の内部には、吸水袋１０４が収納されている。この吸水袋１０４は、前記図３または図４に示した吸水シート４で形成されている。この吸水袋１０４は、１枚の四角形の吸水シート４が２枚重ねに折り畳まれ、または四角形の２枚の吸水シート４が重ねられ、吸水シート４の表面層５１どうしまたは５１Ａどうしが対面するように構成されている。
【００５５】
前記吸水袋１０４では、四角形の１辺が開口した開放部１０５であり、底部１０６および両側部１０７，１０８が閉じられている。前記吸水袋１０４は、収納袋２内に収納され、前記開放部１０５が収納袋２の開口部２４に向けられる。
【００５６】
前記吸水袋１０４が収納袋２内に収納された状態で、吸水袋１０４の第１の面１０９の外面の少なくとも一部が、収納袋２の第１の面２１の内面に接着固定され、吸水袋１０４の第２の面１１０の外面の少なくとも一部が、収納袋２の第２の面２２の内面に接着固定されている。また、吸水袋１０４の開放部１０５の周縁部またはその近傍が前記第１の面２１と第２の面２２の内面に接着固定されていることが好ましい。
【００５７】
この食品用包装体１００では、前記第１の実施の形態と同様に、ジッパー２９を分離して収納袋２の開口部２４を開き、袋の内部空間を広げたときに、吸水袋１０４の開放部１０５も、これに追従して開くため、生鮮食品５を吸水袋１０４内に確実に挿入することができる。
【００５８】
また、収納袋２の第１の面２１と第２の面２２および底部２５の内側に吸水シート４が存在しているので、食品用包装体１００を横置きと縦置きとしたときのいずれにおいても、食品５から滲み出たドリップを吸水シート４吸収でき、収納袋２を構成する包材の内面に直接にドリップが残るのを防止できる。
【００５９】
前記第１の実施の形態の食品用包装体１と第２の実施の形態の食品用包装体１００においては、吸水シート４が収納袋２の第１の面２１の内面と第２の面２２の内面に接着固定されていることにより、収納袋２の内部空間を広げたときに、吸水シート４が袋の内面に追従して開くようになっているが、本発明はこの実施の形態に限られず、前記食品用包装体１および１００において、吸水シート４が袋内面に接着されておらずに収納されているものであってもよい。この場合、吸水シート４が汚れたときに、収納袋２内から取り出して新しいものに交換することができる。
【００６０】
あるいは、前記各実施の形態において、吸水シート４の外面に、繰り返しの剥離が可能な弱い粘着力を有する接着剤層が固着されたものを用い、吸水シート４を、この接着剤層を介して、収納袋２の第１の面２１の内面と第２の面２２の内面に接着してもよい。この場合、収納袋２の内部空間を広げるときに、吸水シート４が袋体と一緒に広がることができ、しかも、汚れた吸水シート４を簡単に交換することができる。
【００６１】
図６は、他の実施の形態の収納袋２００のみを示す断面図、図７は前記収納袋２００内に、図１に示したのと同じ形状の吸水シート４を設けたものを示す断面図である。
【００６２】
この収納袋２００は、前記収納袋２と同じ合成樹脂シートで形成されて、第１の面２１と第２の面２２、開口部２４を形成する前辺２３、両側辺２６，２７を有するものであるが、底部２２５では包材がガゼット折りされている。そして、図７に示すように、内部に生鮮食品５を収納したときに、底部２２５において包材が展開されて底部２２５が拡張される構造である。
【００６３】
この収納袋２００を使用すると、図７に示すように底部２２５を下向とした縦置き状態としたときに安定して設置することができる。
【００６４】
なお、前記収納袋２００内に図５に示す吸水袋１０４を収納して使用してもよい。
【実施例】
【００６５】
（実施例）
図１と図２に示す食品用包装体１を試作した。
【００６６】
収納袋２は、厚みが６０μｍで坪量が５６ｇ／ｍ2のＬＤＰＥで形成した。吸水シート４の表面層５１は、厚みが２５μｍで坪量が２４ｇ／ｍ2であり、ＨＤＰＥとＬＤＰＥがラミネートされた複合樹脂フィルムとした。内面４１から見た液透過孔５３の開孔径は０．６ｍｍ、液透過孔５３の配列ピッチを０．６５ｍｍとした。表面層５１での液透過孔５３の実質開孔率は１５〜２２％であった。
【００６７】
液吸収層５２は、厚みが０．９ｍｍで目付けが６０ｇ／ｍ2のエアレイドパルプであり、パルプをアクリルバインダーと固着したものを使用した。液吸収層５２と表面層５１とを、目付けが３．０ｇ／ｍ2のホットメルト型のエマルジョンタイプの接着剤で固定した。
【００６８】
（比較例１）
図３に示す吸水袋１０４のみを用いた。
【００６９】
（比較例２）
収納袋２のみを単体で用いた。
【００７０】
（比較例３）
市販の合成樹脂シートで形成された食品保存用パックを用いた。
【００７１】
（評価方法）
前記実施例および各比較例に新鮮なきゅうりを収納し、４℃の冷蔵庫内に保管した。保管後の２日経過後と７日経過後に、内部のきゅうりを確認した。
【００７２】
（１）２日経過後
実施例、比較例３と比較例４は食用に問題がなかったが、実施例２では鮮度が劣化し、食用に問題が生じた。
【００７３】
（２）７日経過後
実施例は、きゅうりの表面が濡れてみずみずしさを保持しており、食用に問題がなかった。
【００７４】
比較例２は、きゅうりの表面が乾燥し、触ったときに硬さがなく、色も劣化し、食用できない状態であった。
【００７５】
比較例３と比較例４は、きゅうりの表面が濡れているが、やや硬くなり、色の劣化して食用に難が生じた。
【図面の簡単な説明】
【００７６】
【図１】本発明の第１の実施の形態の食品用包装体を示す分解斜視図、
【図２】前記食品用包装体に食品を収納した状態を示す断面図、
【図３】吸水シートの拡大断面図、
【図４】吸水シートの他の実施の形態を示す拡大断面図、
【図５】本発明の第２の実施の形態の食品用包装体を示す分解斜視図、
【図６】収納袋の他の実施の形態を示す断面図、
【図７】図６に示す収納袋を使用した食品用包装体に食品が収納された状態を示す断面図、
【符号の説明】
【００７７】
１  食品用包装体
２  収納袋
４  吸水シート
５  生鮮食品
２１  第１の面
２２  第２の面
２４  開口部
２９  ジッパー
４３  第１の部分
４４  第２の部分
５１，５１Ａ  表面層
５２  液吸収層
５３，５３ａ  液透過孔
１０４  吸水袋
２００  収納袋
【図１】
2005206198.tif 000003
【図２】
2005206198.tif 000004
【図３】
2005206198.tif 000005
【図４】
2005206198.tif 000006
【図５】
2005206198.tif 000007
【図６】
2005206198.tif 000008
【図７】
2005206198.tif 000009